(57)【要約】【課題】必要な明るさの照明を、低いエネルギーで発光させた明るさの光源を用い、所望の明るさを達成するために用いる光拡散性シート、およびこの光拡散性シートを用いた照明装置を提供することを課題とする。【解決手段】入射される光を拡散させるための拡散材と、入射した光を活性化させる励起材を配合した材料を用いたシートを用いるか、基材シートの少なくとも片面に入射される光を拡散させるための拡散材と、入射した光を活性化させる励起材を配合した材料からなる拡散活性化層を設けた光拡散シート性を用いることにより解決した。【選択図】図２
2009258149.tif 000002
【特許請求の範囲】
【請求項１】
入射される光を拡散させるための拡散材と、入射した光を活性化させる励起材を配合した材料を用いたシートからなることを特徴とする光拡散性シート。
【請求項２】
入射される光を拡散させるための拡散材を配合した拡散シートと、入射した光を活性化させる励起材を配合した活性化シートの複合体からなることを特徴とする光拡散性シート。
【請求項３】
基材シートの少なくとも片面に入射される光を拡散させるための拡散材と、入射した光を活性化させる励起材を配合した材料からなる拡散活性化層を設けたことを特徴とする光拡散性シート。
【請求項４】
基材シートの少なくとも片面に、入射される光を拡散させるための拡散材を配合した拡散層または入射した光を活性化させる励起材を配合した材料からなる活性化層を設けたことを特徴とする光拡散性シート。
【請求項５】
入射される光を拡散させるための拡散材を配合した拡散シートまたは入射した光を活性化させる励起材を配合した活性化シートいずれかからなる第１シートと、基材シートの少なくとも片面に、入射される光を拡散させるための拡散材を配合した材料からなる拡散層と、入射した光を活性化させる励起材を配合した材料からなる活性化層を設けた第２シートとの複合材からなることを特徴とする光拡散性シート。
【請求項６】
前記基材シートは、透明材料からなるシートを用いたことを特徴とする請求項３ないし５のいずれかに記載の光拡散性シート。
【請求項７】
前記拡散層または活性化層は、接着剤層であることを特徴とする請求項３ないし６のいずれかに記載の光拡散性シート。
【請求項８】
前記励起材は、紫外光で励起される材料を用いたいたことを特徴とする請求項１乃至５のいずれかに記載の光拡散シート。
【請求項９】
光源と、該光源からの光が進行する方向の位置に、請求項１ないし６のいずれかに記載の光拡散性シートを配置したことを特徴とする照明装置。
【発明の詳細な説明】
【技術分野】
【０００１】
本発明は光拡散性シートの構造、およびこの光拡散性シートを用いた照明装置に関するものである。
【背景技術】
【０００２】
従来の照明装置は、消費する電力に応じた明るさの照明を行なっていた。
【０００３】
すなわち、明るい照明を望むと、それに対応した光源が必要で、この光源を発光させるための電力を必要としていた。そのため、明るい照明を求めれば、相応の電力が消費されていた。
【０００４】
一方、電気を供給する発電所は、多くのエネルギーを用いて、必要な発電を行なっている。このように、発電のため多くのエネルギーを消費すると、地球温暖化の原因に繋がるので、効率的な電力の消費が望まれている。
【０００５】
上記電力の消費量を達成するためには、工場等に限らず、消費者一人一人が電気の消費量を削減し、エネルギーを効率的に使用し、地球温暖化防止に努めていく必要がある。
【発明の開示】
【発明が解決しようとする課題】
【０００６】
本発明の目的は、上記地球温暖化防止の１つの取り組みとして、必要な明るさの照明を、低いエネルギーで発光させた明るさの光源を用い、所望の明るさを達成するために用いる光拡散性シート、およびこの光拡散性シートを用いた照明装置を提供することである。
【課題を解決するための手段】
【０００７】
請求項１に記載の発明は、入射される光を拡散させるための拡散材と、入射した光を活性化させる励起材を配合した材料を用いたシートからなることを特徴とする光拡散性シートである。
請求項２に記載の発明は、入射される光を拡散させるための拡散材を配合した拡散シートと、入射した光を活性化させる励起材を配合した活性化シートの複合体からなることを特徴とする光拡散性シートである。
請求項３に記載の発明は、基材シートの少なくとも片面に入射される光を拡散させるための拡散材と、入射した光を活性化させる励起材を配合した材料からなる拡散活性化層を設けたことを特徴とする光拡散性シートである。
請求項４に記載の発明は、基材シートの少なくとも片面に、入射される光を拡散させるための拡散材を配合した材料からなる拡散層と、入射した光を活性化させる励起材を配合した材料からなる活性化層を設けたことを特徴とする光拡散性シートである。
請求項５に記載の発明は、入射される光を拡散させるための拡散材を配合した拡散シートまたは入射した光を活性化させる励起材を配合した活性化シートいずれかからなる第１シートと、基材シートの少なくとも片面に、入射される光を拡散させるための拡散材を配合した材料からなる拡散層と、入射した光を活性化させる励起材を配合した材料からなる活性化層を設けた第２シートとの複合材からなることを特徴とする光拡散性シートである。
請求項６に記載の発明は、前記基材シートが、透明材料からなるシートを用いたことを特徴とする請求項３ないし５のいずれかに記載の光拡散性シートである。
請求項７に記載の発明は、前記拡散層または活性化層が、接着剤層であることを特徴とする請求項３ないし６のいずれかに記載の光拡散性シートである。
請求項８に記載の発明は、前記励起材が、紫外光で励起される材料を用いたいたことを特徴とする請求項１乃至５のいずれかに記載の光拡散シートである。
請求項９に記載の発明は、光源と、該光源からの光が進行する方向の位置に、請求項１ないし８のいずれかに記載の光拡散性シートを配置したことを特徴とする照明装置である。
【発明の効果】
【０００８】
本発明の光源からの光が、光拡散性シートの拡散材と励起材により、活性化し、さらに拡散化するので、光源の明るさ以上の明るさを有する光として出射することができ、少ないエネルギーで明るい光を得ることができる。
【発明を実施するための最良の形態】
【０００９】
図１は、本発明の第１の実施形態の光拡散性シートの構造の概略を示す。この光拡散性シートは、入射される光を拡散させるための拡散材１０と、入射した光を活性化させる励起材１１を配合した材料を用いたシート１３からなる。
ここで、前記シート１３は、光透過性の材料からなる。このシート１３の具体的な材料は、ポリスチレン（ＰＳ）、ポリメチルメタクリレート（ＰＭＭＡ）、ポリカーボネート（ＰＣ）、ポリエチレン（ＰＥ）、ポリプロプイレン（ＰＰ）、塩化ポリビニル（ＰＶＣ）、エポキシ樹脂、又は、ポリエチレンテレフタレート（ＰＥＴ）の光学樹脂材料から適宜選択して用いればよい。
また、図２に示すように、入射される光を拡散させるための拡散材２０が配合された光拡散シート２１と、入射した光を活性化させる励起材２２を配合した活性化シート２４との複合材からなる光拡散性シート２５である。
また、図３に示すように、基材シート３０の少なくとも片面に入射される光を拡散させるための拡散材３１と、入射した光を活性化させる励起材３２を配合した材料からなる拡散活性化層３３を設けた構成からなる光拡散性シート３５である。
また、図４に示すように、第１基材シート４０の少なくとも片面に、入射される光を拡散させるための拡散材４１を配合した材料からなる拡散層４２を設けた光拡散性シート４３と、第２基材シート４４の少なくとも片面に入射した光を活性化させる励起材４５を配合した材料からなる活性化層４６を設けた活性化シート４７の複合材からなる光拡散性シート４８である。
【００１０】
ここで、図２から図４のシートに用いる材料は、図１のシートで用いた材料と同様の材料を用いることができる。
さらに、上記の光拡散性シートとして、入射される光を拡散させるための拡散材を配合した拡散シートと入射した光を活性化させる励起材を配合した活性化シートとからなる構成、基材シートの少なくとも片面に、入射される光を拡散させるための拡散材を配合した材料からなる拡散層と基材シートの片面に入射した光を活性化させる励起材を配合した材料からなる活性化層を設けたシートからなる構成だけでなく、入射される光を拡散させるための拡散材を配合した拡散シートまたは入射した光を活性化させる励起材を配合した活性化シートのいずれかからなる第１シートと、基材シートの少なくとも片面に、入射される光を拡散させるための拡散材を配合した材料からなる拡散層を設けたシートまたは入射した光を活性化させる励起材を配合した材料からなる活性化層を設けたシートのいずれかからなる第２シートを用いた複合材を用いても同様な効果を奏する。
ここで、第１シートとして拡散シートを選定した場合、第２シートは、活性化層を設けたシートを選定することはいうまでもない。
また、前記拡散層、活性化層は、接着層を兼ねるように接着剤に配合した構成としてもよい。
前記活性化層に用いる励起材としては、例えば、蛍光化合物を有し、該蛍光化合物は４００nmから７６０nmの波長範囲の可視光が励起され得、これによって少なくとも２００ｎｍから３８０ｎｍの波長の光を放出する機能を有する。
【００１１】
また、前記光拡散層に用いる拡散材としては、拡散粒子は、ポリスチレン（ＰＳ）、ポリメチルメタクリレート（ＰＭＭＡ）、ポリカーボネート（ＰＣ）、ポリエチレン（ＰＥ）、ポリプロプイレン（ＰＰ）、塩化ポリビニル（ＰＶＣ）、エポキシ樹脂、ポリエチレンテレフタレート（ＰＥＴ）、ポリ乳酸（ＰＬＡ）、ＳｉＯ２、又は、Ａｌ２Ｏ３の材料を用いることができる。
【００１２】
また、図５に示すように、光源５０の外側に前述のいずれかからなる光拡散性シートを配置した照明装置である。
【図面の簡単な説明】
【００１３】
【図１】本発明の第１実施形態の構造の概略構成図である。
【図２】本発明の第２実施形態の構造の概略構成図である。
【図３】本発明の第３実施形態の構造の概略構成図である。
【図４】本発明の第４実施形態の構造の概略構成図である。
【図５】本発明の光拡散性シートを用いた照明装置の概略構成図である。
【符号の説明】
【００１４】
１０、２０、３１、４１・・・拡散材
１１、２２、３２、４５・・・励起材
１３、２５、３５、４８・・・光拡散性シート
２１、４３・・・光拡散シート
２４、４７・・・活性化シート
３０・・・基材シート
３３、４６・・・活性化層
４０・・・第１基材シート
４４・・・第２基材シート
５０・・・光源
【図１】
2009258149.tif 000003
【図２】
2009258149.tif 000004
【図３】
2009258149.tif 000005
【図４】
2009258149.tif 000006
【図５】
2009258149.tif 000007